(57)【要約】【課題】第１の付箋が指定された後に、受け付けられた第２の付箋をグループ化することができる情報処理装置を提供する。【解決手段】情報処理装置の指定手段は、着目すべき付箋である第１の付箋を指定し、受付手段は、前記第１の付箋が指定された後に、該第１の付箋に関連する第２の付箋を受け付け、グループ化手段は、前記第１の付箋と前記第２の付箋との親子関係の関連を設定することによって、該第１の付箋と該第２の付箋をグループ化する。【選択図】図１
2017091328.tif 000002
【特許請求の範囲】
【請求項１】
着目すべき付箋である第１の付箋を指定する指定手段と、
前記第１の付箋が指定された後に、該第１の付箋に関連する第２の付箋を受け付ける受付手段と、
前記第１の付箋と前記第２の付箋との親子関係の関連を設定することによって、該第１の付箋と該第２の付箋をグループ化するグループ化手段
を有する情報処理装置。
【請求項２】
前記グループ化手段によって設定された関連にしたがって、前記第１の付箋と前記第２の付箋の関連を示す表示を行う表示手段
をさらに有する請求項１に記載の情報処理装置。
【請求項３】
選択された第３の付箋と親子関係にある付箋のうち、該第３の付箋の子孫にあたる第４の付箋を抽出する抽出手段と、
前記第３の付箋の移動とともに、前記第４の付箋を移動する移動手段
をさらに有する請求項１又は２に記載の情報処理装置。
【請求項４】
前記表示手段は、第１の付箋と最初の第２の付箋との位置関係にしたがって、次の第２の付箋の位置を決定する、
請求項１から３のいずれか一項に記載の情報処理装置。
【請求項５】
コンピュータを、
着目すべき付箋である第１の付箋を指定する指定手段と、
前記第１の付箋が指定された後に、該第１の付箋に関連する第２の付箋を受け付ける受付手段と、
前記第１の付箋と前記第２の付箋との親子関係の関連を設定することによって、該第１の付箋と該第２の付箋をグループ化するグループ化手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、同一箇所に付される複数の電子付箋をまとめて取り扱うことで電子付箋の貼付又は閲覧を容易にし、複数の電子付箋が同一の電子文書をリンク先として示している場合に、これらの電子付箋をまとめて取り扱うことで貼付又は閲覧を容易にすることを課題とし、電子付箋管理装置は、電子文書中にユーザーによって付された複数の電子付箋について、各電子付箋が付された前記電子文書中の箇所を示す位置情報を取得する位置取得手段と、前記位置情報に基づいて、付された箇所が同一又は近傍である複数の電子付箋を電子付箋束としてグループ化するグループ化手段と、前記電子付箋束毎に、当該電子付箋束に含まれる複数の電子付箋を、当該複数の電子付箋が付されていた箇所付近に、予め定められた規則にしたがって整理して配置して、当該電子付箋束を表示する表示手段と、を備え、前記表示手段は、前記電子付箋束に含まれる複数の電子付箋を重ね合わせて前記電子付箋束を表示し、前記表示手段には、ユーザー指示に基づいて前記複数の電子付箋の重なり順を順次変更する改ページ手段が含まれることが開示されている。
【０００３】
特許文献２には、オブジェクト移動操作において、ユーザーが行う操作を減らすことでユーザーの利便性を向上させることが可能な表示入力装置を提供することを課題とし、表示入力装置では、液晶表示部は、タッチパネル部の複数点を同時にタッチする多点タッチ操作の後、表示中のオブジェクトのうち移動対象のオブジェクトを移動させるための操作がタッチパネル部に対して行われたとき、多点タッチ操作時にタッチされた複数点のうちの２点間の距離が予め定められた閾値距離以上であれば、全ての移動対象のオブジェクトを一括して移動させることが開示されている。
【先行技術文献】
【特許文献】
【０００４】
【特許文献１】特許第４３８５７７０号公報
【特許文献２】特開２０１４−２２５２９１号公報
【発明の概要】
【発明が解決しようとする課題】
【０００５】
特許文献１には、電子付箋（電子カード等ともいわれる。以下、単に付箋という）が付された箇所が同一又は近傍である複数の付箋を付箋束としてグループ化すること、特許文献２には、多点タッチ操作時にタッチされた複数点のうちの２点間の距離が予め定められた閾値距離以上であれば、全ての移動対象のオブジェクトを一括して移動させること、が記載されている。
しかし、これらの技術では、付箋をグループ化するために、複数の付箋を互いに近傍の位置に移動すること、又は、タッチパネル部の複数点を同時にタッチする多点タッチ操作が必要である。
そこで、本発明は、第１の付箋が指定された後に、受け付けられた第２の付箋をグループ化することができる情報処理装置及び情報処理プログラムを提供することを目的としている。
【課題を解決するための手段】
【０００６】
かかる目的を達成するための本発明の要旨とするところは、次の各項の発明に存する。
請求項１の発明は、着目すべき付箋である第１の付箋を指定する指定手段と、前記第１の付箋が指定された後に、該第１の付箋に関連する第２の付箋を受け付ける受付手段と、前記第１の付箋と前記第２の付箋との親子関係の関連を設定することによって、該第１の付箋と該第２の付箋をグループ化するグループ化手段を有する情報処理装置である。
【０００７】
請求項２の発明は、前記グループ化手段によって設定された関連にしたがって、前記第１の付箋と前記第２の付箋の関連を示す表示を行う表示手段をさらに有する請求項１に記載の情報処理装置である。
【０００８】
請求項３の発明は、選択された第３の付箋と親子関係にある付箋のうち、該第３の付箋の子孫にあたる第４の付箋を抽出する抽出手段と、前記第３の付箋の移動とともに、前記第４の付箋を移動する移動手段をさらに有する請求項１又は２に記載の情報処理装置である。
【０００９】
請求項４の発明は、前記表示手段は、第１の付箋と最初の第２の付箋との位置関係にしたがって、次の第２の付箋の位置を決定する、請求項１から３のいずれか一項に記載の情報処理装置である。
【００１０】
請求項５の発明は、コンピュータを、着目すべき付箋である第１の付箋を指定する指定手段と、前記第１の付箋が指定された後に、該第１の付箋に関連する第２の付箋を受け付ける受付手段と、前記第１の付箋と前記第２の付箋との親子関係の関連を設定することによって、該第１の付箋と該第２の付箋をグループ化するグループ化手段として機能させるための情報処理プログラムである。
【発明の効果】
【００１１】
請求項１の情報処理装置によれば、第１の付箋が指定された後に、受け付けられた第２の付箋をグループ化することができる。
【００１２】
請求項２の情報処理装置によれば、第１の付箋と第２の付箋の関連を示す表示を行うことができる。
【００１３】
請求項３の情報処理装置によれば、第３の付箋の移動とともに、その第３の付箋の子孫にあたる第４の付箋を移動することができる。
【００１４】
請求項４の情報処理装置によれば、第１の付箋と最初の第２の付箋との位置関係にしたがって、次の第２の付箋の位置を決定することができる。
【００１５】
請求項５の情報処理プログラムによれば、第１の付箋が指定された後に、受け付けられた第２の付箋をグループ化することができる。
【図面の簡単な説明】
【００１６】
【図１】本実施の形態の構成例についての概念的なモジュール構成図である。
【図２】本実施の形態を利用したシステム構成例を示す説明図である。
【図３】共有付箋情報処理装置、付箋情報処理装置の使用例を示す説明図である。
【図４】本実施の形態による処理例を示すフローチャートである。
【図５】本実施の形態による処理例を示す説明図である。
【図６】本実施の形態による処理例を示すフローチャートである。
【図７】本実施の形態による処理例を示す説明図である。
【図８】本実施の形態による処理例を示す説明図である。
【図９】本実施の形態による処理例を示すフローチャートである。
【図１０】本実施の形態による処理例を示す説明図である。
【図１１】本実施の形態による処理例を示す説明図である。
【図１２】本実施の形態による処理例を示す説明図である。
【図１３】付箋情報テーブルのデータ構造例を示す説明図である。
【図１４】本実施の形態を実現するコンピュータのハードウェア構成例を示すブロック図である。
【発明を実施するための形態】
【００１７】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１８】
本実施の形態である情報処理装置１００は、複数の付箋の親子関係（木構造）を構築（グルーピング、グループ化）するものであって、図１の例に示すように、着目付箋指定モジュール１０５、表示モジュール１１０、移動付箋選択モジュール１１５、付箋移動モジュール１２０、関連付箋処理モジュール１２５、付箋情報記憶モジュール１５０を有している。関連付箋処理モジュール１２５は、関連付箋受付モジュール１３０、関連付箋配置モジュール１３５、グループ処理モジュール１４０、関連付箋抽出モジュール１４５を有している。台紙（電子白板等ともいわれる）に対する「貼り付け」の行為を契機（トリガー）として、グループ化を行う。より具体的には、例えば、着目すべき付箋である第１の付箋が、操作者の操作によって指定され、その後に、受け付けた第２の付箋を、第１の付箋を親とした子の付箋として、グループ化する。
【００１９】
情報処理装置１００は、付箋を用いて、議事進行役であるファシリテーター（一般的には一人）と複数人の参加者によって行われる会合（ワークショップ、会議、アイデア抽出会、検討会等）で利用される。参加者は参加者用端末としての端末装置（後述する付箋情報処理装置２１０）を用いて、アイデア等が記載された付箋を作成する。一般的に、図３の例に示すように、付箋情報処理装置２１０として、付箋情報処理装置２１０Ａ、付箋情報処理装置２１０Ｂ等（以下、代表して付箋情報処理装置２１０という）があり、付箋情報処理装置２１０は複数ある。そして、共有付箋情報処理装置２００は、付箋情報処理装置２１０から付箋を受け取って、台紙上にその付箋を貼り付ける。ファシリテーターは共有付箋情報処理装置２００の表示装置である共有画面を用いて、その台紙上で、付箋の位置を決定又は変更したり、付箋の編集をしたり、付箋をまとめたり（第１の付箋と第２の付箋を関連付けること、グループ形成等ともいわれる）、自らも付箋情報の作成等を行って、その会合を進行させる。なお、本実施の形態において、参加者には、ファシリテーターを含む。
【００２０】
付箋情報処理装置２１０は、例えば、タッチパネル（タッチスクリーンともいわれる）方式の表示装置及び入力装置を有しており、参加者の指、ペン等を用いた操作を受け付けて、付箋情報の作成等が行われる。また、タッチパネル以外にも、キーボード、マウスを用いた入力、マイクを用いた音声入力、カメラを用いた画像入力等であってもよい。付箋は、カード型の情報を管理し得るデータ構造であればよく、その内容は、例えば、テキスト情報、手書き文字、図形等を示すベクトルデータ、音声情報、写真等の静止画像情報、動画情報等、又はこれらの組み合わせであってもよい。
共有付箋情報処理装置２００は、付箋情報処理装置２１０から送信されてきた付箋を台紙上に貼り付けて表示し、その付箋に対する処理を行うものである。付箋に対する処理を指示する者として、ファシリテーター、共有付箋情報処理装置２００の操作者がいる。
【００２１】
共有付箋情報処理装置２００、付箋情報処理装置２１０によって構成される付箋システムは、従来の紙の付箋による作業に比べて、複数名での作業における付箋の作成、貼り付け作業等の効率が向上している。
一方で紙の付箋では、注目すべき付箋を手で取り上げて議論したり、会議室を目いっぱい使って付箋を配置したり、といったことが可能である。これに対して、ディスプレイ等の表示装置上で扱う付箋では、その付箋を扱う空間がディスプレイ平面上という制約がある。このため、電子的に大きな平面の仮想空間を用意したとしても、貼り付けた付箋を移動しなければならないケースは紙よりも多くなることがある。
したがって、いったん配置した複数の付箋をまとめて別の場所に動かすようなケースで、１枚ずつ操作をしなくても済むように支援する機能を実装することが求められている。例えば、複数の付箋をまとめて１つのグループにする機能が該当する。
しかしながら、その場合、グループに属する付箋を全体で指定する必要があるため、移動する付箋の数が多い少ない、移動距離が遠い近いに関わらず、所定の手間が必要となる。
本実施の形態は、付箋のグループ化、同じグループに属していることを示すための表示、そのグループに属している付箋群の移動に関する処理を行う。より具体的には、実際の議論においては、特定の付箋に着目した上で、関連する付箋を作成し配置するというサイクルを持つという性質を利用して、グループ化等の処理を行う。
【００２２】
着目付箋指定モジュール１０５は、着目すべき付箋である第１の付箋を指定する。ここでの指定は、操作者の操作にしたがった指定であってもよいし、予め定められたルール（規則）にしたがった指定であってもよい。予め定められたルールとして、例えば、台紙内の予め定められた領域に貼り付けられた付箋を第１の付箋として指定することとしてもよいし、議論の中での予め定められたステージ（ステップ、モード等ともいわれ、具体的には、着目すべき付箋を選択するための議論を行う期間）で、操作者の操作によって選択された付箋を第１の付箋として指定することとしてもよい。
表示モジュール１１０は、情報処理装置１００が備えている液晶ディスプレイ等の表示装置に、台紙、付箋を表示する。そして、情報処理装置１００は、グループ処理モジュール１４０によって設定された関連にしたがって、第１の付箋と第２の付箋の関連を示す表示を行う。ここでの表示は、その付箋が関連を有していること、そして、いずれが親で、いずれが子であるかを分からせるための表示である。例えば、第１の付箋と第２の付箋との間を線で結ぶ表示を行うこと、また、その線は、例えば、矢印になっており、いずれが親であるか（又は子であるか）を判別できるようにしている。
【００２３】
移動付箋選択モジュール１１５は、操作者の操作にしたがって、台紙上にある移動対象の第３の付箋を選択する。そして、その選択された第３の付箋がグループに属している場合は、関連付箋抽出モジュール１４５に第３の付箋とともに移動する対象となる第４の付箋を抽出させるように制御を行う。
付箋移動モジュール１２０は、操作者の操作にしたがって、移動付箋選択モジュール１１５によって選択された第３の付箋を移動する。そして、関連付箋抽出モジュール１４５によって、第４の付箋が抽出されている場合は、第３の付箋とともに第４の付箋を移動する。
【００２４】
関連付箋処理モジュール１２５は、付箋群に対してグループ化処理を行う。
関連付箋受付モジュール１３０は、着目付箋指定モジュール１０５によって第１の付箋が指定された後に、その第１の付箋に関連する第２の付箋を受け付ける。ここでの付箋の受け付けは、情報処理装置１００を含む付箋処理装置（例えば、共有付箋情報処理装置２００、付箋情報処理装置２１０）で作成された付箋を受け付けることであってもよいし、その情報処理装置１００以外の付箋処理装置から送信されてきた付箋を受信することであってもよい。また、第２の付箋としての受け付けは、第１の付箋が指定された後（直後を含む）であれば、その後の予め定められた期間であってもよいし、操作者の操作によって第２の付箋の受け付けの終了が決定されるまでの期間であってもよいし、新しい付箋の受け付けがない期間が予め定められた期間より長い又は以上である場合に、第２の付箋としての受け付けを終了するとしてもよい。
【００２５】
関連付箋配置モジュール１３５は、第１の付箋と最初の第２の付箋との位置関係にしたがって、次の第２の付箋の配置位置を決定する。そして、表示モジュール１１０は、その決定された配置にしたがって、以降の第２の付箋を表示する。また、第１の付箋の周囲の空白状況（付箋を貼り付けることができる余白の領域）にしたがって、配置位置を決定するようにしてもよい。
グループ処理モジュール１４０は、着目付箋指定モジュール１０５によって指定された第１の付箋と関連付箋受付モジュール１３０によって受け付けられた第２の付箋との親子関係の関連を設定することによって、その第１の付箋とその第２の付箋をグループ化する。
関連付箋抽出モジュール１４５は、移動付箋選択モジュール１１５によって選択された第３の付箋と親子関係にある付箋のうち、その第３の付箋の子孫にあたる第４の付箋を抽出する。
また、移動付箋選択モジュール１１５は、第３の付箋の移動とともに、関連付箋抽出モジュール１４５によって抽出された第４の付箋を移動する。なお、ここでの移動には、台紙上での付箋群の移動の他に、共有付箋情報処理装置２００と付箋情報処理装置２１０との間の移動、付箋情報処理装置２１０と他の付箋情報処理装置２１０との間の移動を含む。
【００２６】
付箋情報記憶モジュール１５０は、情報処理装置１００内の各モジュールが利用する付箋に関する情報を記憶している。したがって、各モジュールは、付箋情報記憶モジュール１５０から付箋に関する情報を読み込み、また、処理結果を付箋情報記憶モジュール１５０に書き込む。付箋情報記憶モジュール１５０は、例えば、付箋情報テーブル１３００を記憶している。図１３は、付箋情報テーブル１３００のデータ構造例を示す説明図である。付箋情報テーブル１３００は、付箋ＩＤ欄１３１０、貼付位置欄１３１５、サイズ欄１３２０、作成日時欄１３２５、作成者欄１３３０、貼付日時欄１３３５、色欄１３４０、枠線形状欄１３４５、枠線色欄１３５０、枠線太さ欄１３５５、所属グループ欄１３６０、選択回数欄１３６５、接続付箋数欄１３７０、接続付箋ＩＤ欄１３７５、接続方向欄１３８０、内容種別欄１３９０、内容欄１３９５を有している。付箋ＩＤ欄１３１０は、付箋を、本実施の形態において一意に識別するための情報（付箋ＩＤ：ＩＤｅｎｔｉｆｉｃａｔｉｏｎ）を記憶している。貼付位置欄１３１５は、その付箋が貼り付けられている位置を記憶している。つまり、台紙上の位置を記憶している。例えば、台紙のＸＹ座標系における座標である。具体的には、表示モジュール１１０又は関連付箋配置モジュール１３５によって特定された位置である。サイズ欄１３２０は、その付箋のサイズを記憶している。例えば、表示する付箋が矩形である場合は、幅と高さを記憶している。作成日時欄１３２５は、その付箋が作成された日時（年、月、日、時、分、秒、秒以下、又はこれらの組み合わせであってもよい）を記憶している。作成者欄１３３０は、その付箋の作成者（作成者ＩＤ）を記憶している。又は、その付箋が作成された情報処理装置（共有付箋情報処理装置２００又は付箋情報処理装置２１０の機器ＩＤ）を記憶してもよい。貼付日時欄１３３５は、その付箋が台紙に貼り付けられた日時を記憶している。色欄１３４０は、その付箋の表示色を記憶している。枠線形状欄１３４５は、その付箋の表示における枠線の形状（実線、点線、破線、波線、二重線等）を記憶している。枠線色欄１３５０は、その付箋の表示における枠線の色を記憶している。枠線太さ欄１３５５は、その付箋の表示における枠線の太さを記憶している。所属グループ欄１３６０は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ（例えば、その付箋の親となる付箋の付箋ＩＤ）等を記憶していてもよい。選択回数欄１３６５は、操作者の操作によってその付箋が選択された回数を記憶している。接続付箋数欄１３７０は、その付箋に対して接続された付箋の数を記憶している。その数の分だけ、次の接続付箋ＩＤ欄１３７５と接続方向欄１３８０が繰り返される。接続付箋ＩＤ欄１３７５は、その付箋に対して接続された付箋の付箋ＩＤを記憶している。接続方向欄１３８０は、その付箋と直前の接続付箋ＩＤ欄１３７５の付箋との接続方向を記憶している。その付箋（又は、直前の接続付箋ＩＤ欄１３７５の付箋）が、上流（接続元、親の付箋であること）、下流（接続先、子の付箋であること）のいずれかであることを示す情報であってもよいし、上流（又は、下流）にある付箋の付箋ＩＤであってもよい。また、無方向の接続（親子関係がない接続又は親子関係が定まる前の状態）である場合は、空白（ＮＵＬＬ）であってもよいし、接続方向欄１３８０そのものがなくてもよい。内容種別欄１３９０は、その付箋の内容種別（テキスト情報、手書き文字又は図形等を示すベクトルデータ、音声情報、写真等の静止画像情報、動画情報等、又はこれらの組み合わせを示す情報）を記憶している。内容欄１３９５は、その付箋に書き込まれている内容を記憶している。なお、付箋が台紙に貼り付けられていない状態では、貼付位置欄１３１５等は空白（ＮＵＬＬ）であってもよいし、予め定められた値（デフォルト値）としてもよい。
【００２７】
図２は、本実施の形態を利用した付箋システムの構成例を示す説明図である。共有付箋情報処理装置２００は、一般的に大画面の表示装置を備えており、ファシリテーターによって操作される。この表示装置は、参加者全員が見ることができるものである。各付箋情報処理装置２１０は、会合における参加者によって操作され、一般的には、各参加者が１台ずつ所持している。例えば、付箋情報処理装置２１０として、タブレット型端末等が使用される。
図２（ａ１）の例では、共有付箋情報処理装置２００が、情報処理装置１００を有している。そして、共有付箋情報処理装置２００、付箋情報処理装置２１０Ａ、付箋情報処理装置２１０Ｂ、付箋情報処理装置２１０Ｃは、通信回線２９９を介してそれぞれ接続されている。通信回線２９９は、無線、有線、これらの組み合わせであってもよく、例えば、通信インフラとしてのインターネット、イントラネット等であってもよい。この場合、情報処理装置１００は、共有付箋情報処理装置２００の画面に表示される台紙、付箋に対する処理を行う。そして、共有付箋情報処理装置２００の画面の表示を、各付箋情報処理装置２１０に送信する。
【００２８】
図２（ａ２）の例では、情報処理装置１００、共有付箋情報処理装置２００、付箋情報処理装置２１０Ａ、付箋情報処理装置２１０Ｂ、付箋情報処理装置２１０Ｃは、通信回線２９９を介してそれぞれ接続されている。この場合、共有付箋情報処理装置２００、各付箋情報処理装置２１０が、通信回線２９９を介して、情報処理装置１００を利用する。情報処理装置１００の制御にしたがって、共有付箋情報処理装置２００、各付箋情報処理装置２１０の画面に台紙、付箋を表示する。また、情報処理装置１００による機能は、クラウドサービスとして実現してもよい。
図２（ａ３）の例では、共有付箋情報処理装置２００と各付箋情報処理装置２１０のそれぞれが、情報処理装置１００を有している。共有付箋情報処理装置２００、付箋情報処理装置２１０Ａ、付箋情報処理装置２１０Ｂ、付箋情報処理装置２１０Ｃは、通信回線２９９を介してそれぞれ接続されている。この場合、各情報処理装置１００が、それぞれの付箋情報処理装置（共有付箋情報処理装置２００、各付箋情報処理装置２１０）の画面に表示される台紙、付箋に対する処理を行う。
【００２９】
図２（ｂ）の例では、会議室２８０には、共有付箋情報処理装置２００、付箋情報処理装置２１０Ａ、付箋情報処理装置２１０Ｂ、付箋情報処理装置２１０Ｃが設置されており、会合が行われる。共有付箋情報処理装置２００、付箋情報処理装置２１０Ａ、付箋情報処理装置２１０Ｂ、付箋情報処理装置２１０Ｃは、通信回線２９９を介してそれぞれ接続されている。
そして、情報処理装置１００、付箋情報記憶装置２９４、会議室２８０内の機器は、通信回線２９８を介してそれぞれ接続されている。通信回線２９８は、無線、有線、これらの組み合わせであってもよく、例えば、通信インフラとしてのインターネット、イントラネット等であってもよい。また、情報処理装置１００、付箋情報記憶装置２９４による機能は、クラウドサービスとして実現してもよい。付箋情報記憶装置２９４は、付箋情報記憶モジュール１５０を有している。情報処理装置１００は、付箋情報記憶装置２９４内の付箋情報記憶モジュール１５０を用いて処理を行う。この場合、共有付箋情報処理装置２００が情報処理装置１００を利用して、共有付箋情報処理装置２００の画面の表示を、各付箋情報処理装置２１０に送信し、各付箋情報処理装置２１０の画面にそれを表示するようにしてもよい。また、共有付箋情報処理装置２００、各付箋情報処理装置２１０のそれぞれが、情報処理装置１００を利用するようにしてもよい。
【００３０】
図３は、本実施の形態が使用される会議室等の例、共有付箋情報処理装置２００、付箋情報処理装置２１０の使用例を示す説明図である。
図３（ａ）の例に示すように、会議室等内に、参加者３１１、３１２、ファシリテーター３２１が集まっている。参加者３１１は付箋情報処理装置２１０Ａを利用し、参加者３１２は付箋情報処理装置２１０Ｂを利用する。一般的に、端末装置（付箋情報処理装置２１０Ａ等）は参加者一人に１個付与されており、図３（ｃ）の例に示す付箋情報処理装置２１０のように、ノート程度の大きさ（例えば、Ａ４、Ｂ５、７〜１０インチ等）のタブレット型の端末であり、指又はペン等を用いて操作されるものである。参加者によって、テキストデータ、手書きの文字、図形等が記載された付箋情報が作成される。なお、端末装置は、タブレット型の端末に限られず、キーボード、マウス等を備えたＰＣ（ノートＰＣを含む）等であってもよい。
図３（ａ）の例に示す共有付箋情報処理装置２００ｘは、プロジェクターであって、台紙及び付箋を表示する。また、共有付箋情報処理装置２００ｙは、電子白板であって、ファシリテーター３２１の指又はペン等の動きを検知して、付箋を台紙に貼り付けること、付箋の移動、付箋の関連付け（グループ化）を行うこと等の操作を受け付けるものである。例えば、共有付箋情報処理装置２００ｙにペンが備えられており、そのペンが予め定められたペン置きから離れたこと（ファシリテーター３２１が操作するためにペンを持ち上げたこと）、そしてペンの先端の位置（ペン先端が共有付箋情報処理装置２００ｙに触れたこと等）を検知することによって、台紙、付箋に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、共有付箋情報処理装置２００ｙの表示画面全体がタッチセンサーであり、表示画面に触れられた位置、圧力を検知すればよい。
また、共有付箋情報処理装置２００は、図３（ｂ）の例に示すような電子ボードであってもよい。電子ボードは、一般的に大画面の表示装置（少なくとも、付箋情報処理装置２１０の表示装置よりも大きい）を有しており、その表示装置はタッチパネルであり、表示画面に触れられた位置、圧力を検知する。例えば、画面として、８０インチ等の大きさを備えたものであってもよい。
【００３１】
図４は、本実施の形態による処理例を示すフローチャートである。
ステップＳ４０２では、着目付箋指定モジュール１０５が、着目する付箋を受け付ける。
ステップＳ４０４では、表示モジュール１１０が、その付箋の表示形態を変更する。例えば、その付箋の大きさ、色、枠線等を変更させてもよいし、ハイライト表示、点滅表示させるようにしてもよい。
ステップＳ４０５では、グループ処理モジュール１４０が、着目する付箋に対して子の付箋を追加する処理を開始する。
ステップＳ４０６では、関連付箋受付モジュール１３０が、関連付箋の受付を開始する。ここでの関連付箋は、ステップＳ４０２で受け付けた付箋を親の付箋とする付箋（子の付箋）である。
ステップＳ４０８では、関連付箋受付モジュール１３０が、関連付箋を受け付ける。
ステップＳ４１０では、表示モジュール１１０が、受け付けた付箋を表示する。
【００３２】
ステップＳ４１２では、グループ処理モジュール１４０が、着目する付箋と受け付けた付箋との関係を設定する。ここでの関係とは、着目付箋を親とし、関連付箋を子とする親子関係である。
ステップＳ４１４では、表示モジュール１１０が、設定された関係を示す表示を行う。例えば、着目付箋と関連付箋との間を線で結ぶ等の表示を行う。
ステップＳ４１６では、関連付箋受付モジュール１３０が、関連する付箋の受付は終了か否かを判断し、終了の場合はステップＳ４１８へ進み、それ以外の場合はステップＳ４０８へ戻る。
ステップＳ４１８では、グループ処理モジュール１４０が、グループ化の後処理（例えば、グループ化の処理結果のデータ反映処理等）を行う。そして、グループ化の処理結果を付箋情報記憶モジュール１５０（付箋情報テーブル１３００の所属グループ欄１３６０等）に記憶させ、グループ化処理を終了する。
【００３３】
図５は、本実施の形態による処理例を示す説明図である。
図５（ａ）の例に示す状態では、画面５００に付箋５０２、付箋５０４、付箋５０６、付箋５０８、付箋５１０の５枚の付箋が貼り付けられている。付箋５０２の下には、他の付箋は貼り付けられておらず、空白の状態であるとする。
図５（ｂ）の例に示す状態は、図５（ａ）の例に示す状態から、操作者の操作にしたがって操作手５５０によって付箋５０２が第１の付箋として選択された状態を示している。具体的には、ファシリテーターが着目する付箋を参加者に指示又は開示する操作が行われたことを示している。その後、参加者は、選択された付箋に対して、新たな付箋を生成して、送信することが行われる。選択後の着目付箋５０２ａとして、選択前の付箋５０２の枠線を太くする等の表示形態を変更する。ここで、操作者は、これから着目付箋５０２ａに書かれている内容について、議論を行いたい等の意図を有しており、この選択の後に、作成された付箋（又は情報処理装置１００が受信した付箋）は、着目付箋５０２ａと関連があるものとなる。
【００３４】
図５（ｃ）の例に示す状態は、図５（ｂ）の例に示す状態から、３枚の付箋（関連付箋５２２、関連付箋５２４、関連付箋５２６）が作成され、画面５００に貼り付けた状態を示している。着目付箋５０２ａを親として、関連付箋５２２、関連付箋５２４、関連付箋５２６を子とした親子関係を形成する。これによって、操作者の意図に沿ったグループ化処理を行うことができるようになる。
そして、着目付箋５０２ａから関連付箋５２２、着目付箋５０２ａから関連付箋５２４、着目付箋５０２ａから関連付箋５２６への矢印線（矢印の向いている先の付箋が子の付箋）を描画する。この表示によって、グループ化された付箋群、その付箋間の関係をユーザーは把握できるようになる。
【００３５】
図６は、本実施の形態による処理例を示すフローチャートである。
ステップＳ６０２では、移動付箋選択モジュール１１５が、付箋の選択操作を受け付ける。
ステップＳ６０４では、関連付箋抽出モジュール１４５が、選択された付箋と親子関係にある付箋を抽出する。
ステップＳ６０６では、関連付箋抽出モジュール１４５が、選択された付箋の子孫にあたる付箋を抽出する。つまり、親の付箋と兄弟の付箋は、移動対象としない。
ステップＳ６０８では、付箋移動モジュール１２０が、選択された付箋の移動にあわせて、子孫の付箋を移動する。
【００３６】
ステップＳ６１０では、付箋移動モジュール１２０が、選択された付箋と親の付箋との親子関係を解消するか否かを判断し、解消する場合はステップＳ６１２へ進み、それ以外の場合は処理を終了する（ステップＳ６９９）。ここでの判断として、移動の操作量が予め定めた条件に適合する場合は、親子関係を解消するとしてもよい。ここで「移動の操作量」として、移動の距離（移動前の元の位置から、移動後の位置までの距離であって、直線距離であってもよいし、実際に移動した距離であってもよい）、移動の速度、移動の際の加速度、移動にかけた時間、圧力等、又はこれらの組み合わせがある。以下、移動の距離を例示して説明する。なお、圧力は、圧力を検知できるタッチスクリーンを利用し、移動対象の付箋（第３の付箋）を選択又は移動しているときの指又はペンの圧力を検知すればよい。また、圧力を用いる場合は、移動対象の付箋を選択したときの圧力を用いるようにしてもよいし、その付箋を移動している間も含めた統計値（平均値、最大値、最小値、最頻値、中央値等）であってもよい。例えば、移動している間も所定の圧力を掛けることは困難であるので、移動対象の付箋を選択したときの圧力だけを用いるようにしてもよい。
また、「予め定めた条件」として、予め定められた閾値より大きい又は以上であること、を用いるようにしてもよい。例えば、移動距離が予め定められた閾値より大きい又は以上である場合は、親子関係を解消させるように判断するとしてもよい。移動量が大きい場合には、親の付箋との関係がなくなっているとする意図が多いからである。また、移動した後に、親子関係を解消させる操作を行わなければならない場合に比べて、操作が容易になる。また、複数の操作量の組み合わせを条件とする場合は、各操作量の条件を論理演算（論理和、論理積、排他的論理和等）で結合したものとしてもよい。
ステップＳ６１２では、グループ処理モジュール１４０が、選択された付箋と親の付箋との親子関係を解消する設定を行う。
【００３７】
図７は、本実施の形態による処理例を示す説明図である。親の付箋を移動した場合に、その付箋を親としている子の付箋群を一緒に移動させる例を示している。
図７（ａ）の例に示す状態では、図５（ｃ）の例に示した状態と同等であり、画面７００に移動選択付箋７０２ａ、関連付箋７２２、関連付箋７２４、関連付箋７２６、付箋７０４、付箋７０６、付箋７０８、付箋７１０の８枚の付箋が貼り付けられている。そして、移動選択付箋７０２ａを親として、それぞれ関連付箋７２２、関連付箋７２４、関連付箋７２６が子としてグループ化されている。
この状態で、移動選択付箋７０２ａを移動するための操作として、操作手７５０で移動選択付箋７０２ａを選択する。
図７（ｂ）の例に示す状態では、移動選択付箋７０２ａを右に移動させると、その状態のまま（親子関係を有している位置関係を保ったまま）、関連付箋７２２、関連付箋７２４、関連付箋７２６も移動する。
図７（ｃ）の例に示す状態では、図７（ｂ）の例に示す状態から移動選択付箋７２２ａを移動した場合の例を示したものである。移動選択付箋７２２ａには子となる付箋がないので、移動選択付箋７２２ａだけを移動しており、親となる関連付箋７０２と兄弟となる関連付箋７２４、関連付箋７２６は移動していない。
【００３８】
図８は、本実施の形態による処理例を示す説明図である。画面８００に付箋８０２、付箋８０４、付箋８０６、付箋８０８、付箋８１２、付箋８１４、付箋８１６、付箋８１８、付箋８２２、付箋８２４、付箋８２６、付箋８２８の１２枚の付箋が貼り付けられている。そして、付箋８２２を親として、それぞれ付箋８０４、付箋８１４、付箋８２４が子として、さらに、付箋８２４を親として付箋８２６を子として、付箋８２６を親として付箋８２８を子として、グループ化されている。これらは１つのグループを形成している。
この状態で、付箋８２４を移動するための操作として、操作手８５０で付箋８２４を選択する。
【００３９】
図８（ｂ）の例に示す状態では、付箋８２４の移動にしたがって、その子孫の付箋である付箋８２６、付箋８２８も移動している。そして、その移動距離は、予め定められた閾値以下であるので付箋８２２と付箋８２４の親子関係を維持したままである。
図８（ｃ）の例に示す状態では、付箋８２４の移動にしたがって、その子孫の付箋である付箋８２６、付箋８２８も移動している。ただし、その移動距離は、予め定められた閾値より長いので付箋８２２と付箋８２４の親子関係を解消している。したがって、ここでは２つのグループ（付箋８２２と付箋８０４と付箋８１４のグループ、付箋８２４と付箋８２６と付箋８２８のグループ）に分かれることになる。
【００４０】
図９は、本実施の形態による処理例を示すフローチャートである。付箋の配置に関する処理であって、第１の付箋と最初の第２の付箋との位置関係にしたがって、次の第２の付箋の位置を決定するものである。この処理は、表示モジュール１１０によって行われる。
ステップＳ９０２では、親と子の付箋の位置を抽出する。
ステップＳ９０４では、親と子の付箋の位置関係のパターンを設定する。位置関係のパターンについては、図１０、図１１に示す例を用いて後述する。
ステップＳ９０６では、新たな子の付箋を受け付ける。
ステップＳ９０８では、パターンにしたがって、新たな付箋の位置を設定する。
ステップＳ９１０では、新たな付箋はあるか否かを判断し、ある場合はステップＳ９０６へ戻り、それ以外の場合は処理を終了する（ステップＳ９９９）。
【００４１】
図１０は、本実施の形態による処理例を示す説明図である。
図１０（ａ）の例に示す状態は、画面１０００に、付箋１００２が貼り付けられており、付箋１００２が第１の付箋として選択され、付箋１００４が第２の付箋として貼り付けられたので、付箋１００２を親として付箋１００４を子としたグループが形成されたことを示している。付箋１００４は、付箋１００２の下の位置に配置される。操作者の操作によって、この配置が行われてもよいし、予め定められた規則（例えば、親の付箋の直下の位置に配置する）にしたがって配置を行うようにしてもよい。ここで、次の付箋を受け付けた場合の配置パターンは、第２の付箋の右隣とするものである。つまり、配置パターンとして、付箋１００２の予め定められた位置（例えば、中心）と付箋１００４の予め定められた位置（例えば、中心）とでなす線分に対して直角に交わる方向であって、余白のある方向に、次の付箋を配置するパターンを設定している。
図１０（ｂ）の例に示す状態は、図１０（ａ）の例に示す状態から、付箋１００６、付箋１００８が、貼り付けられたことを示している。付箋１００６は、付箋１００２の子である。付箋１００８は、付箋１００２の子である。そして、前述の配置パターンにしたがって、付箋１００４と隣り合う位置に、付箋１００６、付箋１００８を配置している。
なお、もちろんのことながら、付箋１００４が付箋１００２の右隣に配置された場合は、付箋１００６、付箋１００８は、付箋１００４の下に配置されることになる。
なお、前述の例は、親と第１子の付箋の配置によって、それ以後の第２子、第３子の付箋の位置を決定しているが、親と第１子と第２子の付箋の配置によって、それ以後の第３子、第４子の付箋の位置を決定する配置パターンとしてもよい。また、親と第１子の付箋の配置によって、孫の付箋（第１子の付箋のさらに子の付箋）の位置を決定する配置パターンとしてもよい。
【００４２】
図１１は、本実施の形態による処理例を示す説明図である。図１０の例に示す配置パターンは、配置する余白がある場合の例を示している。図１１の例では、周囲の余白領域にしたがって、配置パターンを設定するものである。
図１１（ａ）の例に示す状態は、画面１１００に、付箋１１０２、付箋１１１２、付箋１１１４、付箋１１１６、付箋１１１８が貼り付けられており、付箋１１０２が第１の付箋として選択され、付箋１１０６が第２の付箋として貼り付けられたので、付箋１１０２を親として付箋１１０６を子としたグループが形成されたことを示している。ただし、付箋１１０６の左隣及び右隣には付箋を貼り付けるだけの余白領域はない状態である。ここで、次の付箋を受け付けた場合の配置パターンは、第２の付箋の下とするものである。つまり、配置パターンとして、付箋１１０２の予め定められた位置（例えば、中心）と付箋１１０６の予め定められた位置（例えば、中心）とでなす線分に対して直角に交わる方向に、付箋を貼り付けるだけの余白がない場合は、付箋１１０６の下に次の付箋を配置するパターンを設定している。
図１１（ｂ）の例に示す状態は、図１１（ａ）の例に示す状態から、付箋１１０８、付箋１１１０が、貼り付けられたことを示している。付箋１１０８は、付箋１１０２の子である。付箋１１１０は、付箋１１０２の子である。そして、前述の配置パターンにしたがって、付箋１１０６の下の位置に、付箋１１０８、付箋１１１０を配置している。
なお、付箋を貼り付ける余白がない場合は、余白領域がある位置まで、グループ内の付箋全部を移動するようにしてもよい。また、操作者の操作による指示（配置位置を決定する指示）を得るようにしてもよい。
【００４３】
図１２は、本実施の形態による処理例を示す説明図である。既に貼り付けられた付箋間で親子関係を形成する例を示したものである。
図１２（ａ）の例に示す状態は、画面１２００に、付箋１２０２、付箋１２０４、付箋１２０６が貼り付けられている状態である。
図１２（ｂ）の例に示す状態は、付箋１２０２を操作手１２５０ａで選択し、そのまま画面をなぞって（つまり、画面１２００から指を離さずに）、付箋１２０４の位置（図では操作手１２５０ｂの位置）まで操作手１２５０ａを移動させることによって、付箋１２０２を親とし、付箋１２０４を子とした親子関係を形成している。
図１２（ｃ）の例に示す状態は、付箋１２０２を操作手１２５０ａで選択し、そのまま画面をなぞって、付箋１２０６の位置（図では操作手１２５０ｃの位置）まで操作手１２５０ａを移動させることによって、付箋１２０２を親とし、付箋１２０６を子とした親子関係を形成している。
また、逆の操作（つまり、子の付箋を指定した後に、親の付箋まで操作手１２５０ａを移動させる操作）で、親子関係を形成するようにしてもよい。
【００４４】
なお、本実施の形態としてのプログラムが実行されるコンピュータのハードウェア構成は、図１４に例示するように、一般的なコンピュータであり、具体的にはパーソナルコンピュータ、サーバーとなり得るコンピュータ等である。つまり、具体例として、処理部（演算部）としてＣＰＵ１４０１を用い、記憶装置としてＲＡＭ１４０２、ＲＯＭ１４０３、ＨＤ１４０４を用いている。ＨＤ１４０４として、例えばハードディスク、ＳＳＤ（Ｓｏｌｉｄ  Ｓｔａｔｅ  Ｄｒｉｖｅ）を用いてもよい。着目付箋指定モジュール１０５、表示モジュール１１０、移動付箋選択モジュール１１５、付箋移動モジュール１２０、関連付箋処理モジュール１２５、関連付箋受付モジュール１３０、関連付箋配置モジュール１３５、グループ処理モジュール１４０、関連付箋抽出モジュール１４５等のプログラムを実行するＣＰＵ１４０１と、そのプログラムやデータを記憶するＲＡＭ１４０２と、本コンピュータを起動するためのプログラム等が格納されているＲＯＭ１４０３と、補助記憶装置（フラッシュメモリ等であってもよい）であるＨＤ１４０４と、キーボード、マウス、タッチスクリーン、マイク等に対する利用者の操作に基づいてデータを受け付ける受付装置１４０６と、ＣＲＴ、液晶ディスプレイ、スピーカー等の出力装置１４０５と、ネットワークインタフェースカード等の通信ネットワークと接続するための通信回線インタフェース１４０７、そして、それらをつないでデータのやりとりをするためのバス１４０８により構成されている。これらのコンピュータが複数台互いにネットワークによって接続されていてもよい。
【００４５】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１４に示すハードウェア構成は、１つの構成例を示すものであり、本実施の形態は、図１４に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１４に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００４６】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００４７】
１００…情報処理装置
１０５…着目付箋指定モジュール
１１０…表示モジュール
１１５…移動付箋選択モジュール
１２０…付箋移動モジュール
１２５…関連付箋処理モジュール
１３０…関連付箋受付モジュール
１３５…関連付箋配置モジュール
１４０…グループ処理モジュール
１４５…関連付箋抽出モジュール
１５０…付箋情報記憶モジュール
２００…共有付箋情報処理装置
２１０…付箋情報処理装置
【図１】
2017091328.tif 000003
【図２】
2017091328.tif 000004
【図３】
2017091328.tif 000005
【図４】
2017091328.tif 000006
【図５】
2017091328.tif 000007
【図６】
2017091328.tif 000008
【図７】
2017091328.tif 000009
【図８】
2017091328.tif 000010
【図９】
2017091328.tif 000011
【図１０】
2017091328.tif 000012
【図１１】
2017091328.tif 000013
【図１２】
2017091328.tif 000014
【図１３】
2017091328.tif 000015
【図１４】
2017091328.tif 000016